(57)【要約】  本発明は、真空グリッパーユニットに関する。この装置は、共通真空チャンバを提供するボディを含んで外部から見て「Ｈ」形に形成される円筒形の第１及び第２装着筒を有し、前記第１装着筒には真空ポンプが挿入される一方、第２装着筒には真空ポンプまたはリリースバルブが選択的に装着される。そして、前記第１装着筒及び第２装着筒の前方挿入口には、前記装着された真空ポンプ及びリリースバルブを支持してその離脱を防止する仕上げ材が挿入されて提供される。好ましくは、少なくとも前記第１装着筒の仕上げ材はサイレンサーである。本発明によれば、圧縮空気による真空応答速度及びグリップ信頼度が向上し、装置の適用性が向上する格別な効果がある。【選択図】図２
2019511374.tif 000002
【特許請求の範囲】
【請求項１】
内部に共通真空チャンバ（１４）が形成された垂直型ボディ（１１）と；
前記ボディの左側面及び右側面に水平的に平行に配置され、前記ボディ（１１）とは別個の装着空間を提供する円筒形部材であって、構造的には、外部から見て、中央部分を連結する前記ボディ（１１）を含んで全体として「Ｈ」形に形成され、向かい合って対向する各一側に前記共通真空チャンバと連通可能な通路（１５）を有する第１及び第２装着筒（１２ａ、１２ｂ）と；
前記ボディ（１１）の下部に前記共通真空チャンバ（１４）と連通するように連結された吸着パッド（１３）と；
を含み、
前記第１装着筒（１２ａ）の内部には、圧縮空気の供給及び排出の際に前記共通真空チャンバ（１４）を排気して真空が形成されるように動作する真空ポンプ（１６）が挿入装着され；
前記第２装着筒（１２ｂ）の内部には、選択的に、前記真空ポンプ（６）が挿入装着されるか、或いは前記真空ポンプの動作停止の際に前記共通真空チャンバ（１４）に空気が流入するように開放されるリリースバルブ（２０）が挿入装着されること；
を特徴とする、真空ポンプを含む真空グリッパーユニット。
【請求項２】
前記真空ポンプ（１６）は、
一端が圧縮空気流入口（１７）であり、他端が排出口（１８）であり、側壁には前記共通真空チャンバ（１４）と連通可能にする通孔（１９）が形成されたパイプ型真空ポンプであって；
前記圧縮空気流入口（１７）側が第１装着筒（１２ａ）の前方挿入口（２３）を介して後方エア供給口（２４）と連通するように挿入される方法で第１装着筒（１２ａ）内に装着され、同じ方法で第２装着筒（１２ｂ）内にも装着できることを特徴とする、請求項１に記載の真空ポンプを含む真空グリッパーユニット。
【請求項３】
前記リリースバルブ（２０）は、
圧縮空気の圧力有無に応じて、スプリング（２１）に支持されたピストン（２２）が開放側または閉鎖側に移動して、前記共通真空チャンバ（１４）への空気流入を制御するバルブであって；
ピストン（２２）の端部が第２装着筒（１２ｂ）の前方挿入口（２３）を介して後方エア供給口（２４）を開閉するように挿入されることにより第２装着筒（１２ｂ）内に装着されること；を特徴とする、請求項１に記載の真空ポンプを含む真空グリッパーユニット。
【請求項４】
前記吸着パッド（１３）は、
前記ボディ（１１）の下端に着脱可能に結合されるリップホルダー（３１）と、
前記リップホルダー（３１）の下部に連結され、対象物（Ｐ）の表面に接触するスカート型リップ（３２）とを含むことを特徴とする、請求項１に記載の真空ポンプを含む真空グリッパーユニット。
【請求項５】
前記吸着パッド（１３）は、
対象物（Ｐ）の表面の異物をフィルタリングするために、前記リップホルダー（３１）の内周に挿入装着されるフィルタ要素（４３）をさらに含むことを特徴とする、請求項４に記載の真空ポンプを含む真空グリッパーユニット。
【請求項６】
前記第１装着筒（１２ａ）及び第２装着筒（１２ｂ）の前方挿入口（２３）には、前記装着された真空ポンプ（１６）及びリリースバルブ（２０）を支持してその離脱を防止する仕上げ材（２５、２６）が嵌め込まれて提供されることを特徴とする、請求項１に記載の真空ポンプを含む真空グリッパーユニット。
【請求項７】
前記第１及び第２装着筒（１２ａ、１２ｂ）のうち、真空ポンプ（１６）が装着された装着筒（「１２ａ」または「１２ａ、１２ｂ」）の仕上げ材（２５）は、その内部に真空ポンプ（１６）の排出口（１８）側が挿入されるようにしながら、前記装着筒（「１２ａ」または「１２ａ、１２ｂ」）の前方挿入口（２３）に挿入される中空状サイレンサーであることを特徴とする、請求項６に記載の真空ポンプを含む真空グリッパーユニット。
【請求項８】
Ｃ形のクリップ（２７）が前方挿入口（２３）側の外面の溝条（２８）に弾力的に挿入されて装着され、その一部が溝条（２８）の孔（２９）に侵入して仕上げ材（２５、２６）の外面の顎部（３０）に係止されるようにして、仕上げ材（２５、２６）の分解の際には、まず前方挿入口（２３）側から前記クリップ（２７）を除去するようにしたことを特徴とする、請求項６または７に記載の真空ポンプを含む真空グリッパーユニット。
【請求項９】
前記ボディ（１１）は、
前記真空グリッパーユニットを外部ブラケットに固定するための手段として、上面の中央に形成されたねじ溝（３４）と、上面の外側に形成された一つ以上の固定凹溝（３５）または突起を含むことを特徴とする、請求項１に記載の真空ポンプを含む真空グリッパーユニット。
【請求項１０】
前記第２装着筒（１２ｂ）には、前記真空ポンプ（１６）が挿入装着され；
この時、前記ボディ（１１）の一側には、前記共通真空チャンバ（１４）を経由せずに第１装着筒（１２ａ）と第２装着筒（１２ｂ）との間を連結する分配路（３９）が形成され；いずれか一方の装着筒（１２ａまたは１２ｂ）に印加された圧縮空気が２つの装着筒（１２ａ、１２ｂ）及び真空ポンプ（１６）の全てへ供給されるようにすることを特徴とする、請求項１に記載の真空ポンプを含む真空グリッパーユニット。
【請求項１１】
前記第１装着筒（１２ａ）または第２装着筒（１２ｂ）の他の一側には、真空及び負圧の解除の際に共通真空チャンバ（１4）に空気を供給するためのリリースポート（３８）が形成されたことを特徴とする、請求項１に記載の真空ポンプを含む真空グリッパーユニット。
【発明の詳細な説明】
【技術分野】
【０００１】
本発明は、高速の圧縮空気により発生する負圧を用いて対象物を把持するために使用される真空グリッパーユニットに関する。
【背景技術】
【０００２】
伝統的に、真空グリッパーシステムは、中空状のボディと、前記ボディの下端に連通して結合されるパッドと、前記ボディの上側または一側にホースで接続される真空ポンプとを含んでなる。前記パッドが対象物に接触した状態で高速の圧縮空気が真空ポンプを通過するとき、パッド内の空気がボディ及びホースを経由してポンプの内部に誘引され、圧縮空気と一緒にポンプの外部へ排出される。この際、パッド内には負圧が発生すると同時に、この負圧によりその対象物が把持されるのである。この把持された対象物は、自動化システムなどによって、決められた場所へ移送される。
【０００３】
このようなグリッパーシステムは、依然として有効に用いられているが、実際には設計や配線などにおいて複雑な問題を持っている。このため、前記ボディの内部に真空ポンプを装着することにより比較的コンパクトに改善された真空グリッパー装置が提案されたことがあるが、韓国公開特許第１０−２００９−０１３１６１７号公報及び米国特許第７５４０３０９号明細書に開示されている真空装置がその例である。
【０００４】
図１を参照すると、前者のグリッパー装置１は、「Ｔ」タイプの中空状ボディ２を中心に、下部には吸着パッド３が結合され、一側には真空ポンプ４が装着され、他側には圧縮空気供給ホール５が形成されたものである。前記圧縮空気の圧力によって動作するリリースバルブ６が前記ホール５の下方に配置される。ちなみに、後者の装置は、単に、前記バルブ６が「＋」タイプのボディの上方に配置されるという差異があるだけで、実質的には前者の装置１と同様のものであるから、ここでは別途図示しない。図面において、符号７はサイレンサーである。
【０００５】
通常の真空グリッパーシステムの場合と同様に、前記パッド３が対象物Ｐに接触した状態で高速の圧縮空気が真空ポンプ４を通過するとき、パッド３内の空気がボディ２を経由してポンプ４の内部に誘引され、圧縮空気と一緒にポンプ４の外部へ排出される。この時、パッド３内に負圧が発生するとともに、この負圧により対象物Ｐが把持されるのである。一方、供給された圧縮空気の一部が前記バルブ６を圧迫し続けることによりリリースバルブ６は閉じており、このため、ポンプ４の内部は真空が維持できる。
【０００６】
例えば、対象物Ｐの移送が終わって圧縮空気の供給が中断されると、リリースバルブ６はスプリングの圧力で開放される。すると、外部空気がボディ２の内部に流入しながら装置内の真空及び負圧は破棄され、グリッパー装置１は、対象物Ｐから分離された後に次のグリップ工程のために準備される。
【先行技術文献】
【特許文献】
【０００７】
【特許文献１】韓国公開特許第１０−２００９−０１３１６１７号公報
【特許文献２】米国特許第７５４０３０９号明細書
【特許文献３】韓国登録特許第１３０３７４０号公報
【発明の概要】
【発明が解決しようとする課題】
【０００８】
上述したように、従来のグリッパー装置１は、ボディ２に吸着パッド３、真空ポンプ４、リリースバルブ６などを装着するように設計されている。よって、伝統的な方式に比べて、真空グリッパーシステムの設計及び実現がコンパクトに行われるという利点があるといえる。しかし、これには：
第一に、前記グリッパー装置１を構成する各要素３、４、６を「Ｔ」タイプまたは「＋」タイプのボディ２の各方向に締結しなければならないことにより、その組立及び分解が不便であって生産性が低下するしかない問題；
第二に、特に前記真空ポンプ４が別個の装着空間なしでボディ２に直接装着されることにより、供給される圧縮空気による圧力がボディ２及びパッド３側に直接伝達されてグリップ信頼度が低下する問題；
第三に、前記ボディ２を中心とした要素３、６間の配置アンバランスにより、パッド３のグリップ状態に影響を与える問題；
第四に、現場によっては真空の迅速または解除の迅速のための要素の選択、変換、適用などが必要な場合があるが、これに関する対策が全くないことにより自体的に使用上の限界を持つ問題；などがある。
【０００９】
本発明は、前述した従来の問題点を解決するためになされたもので、その目的は、真空ポンプを含むコンパクトタイプの装置において、特に各要素の組立及び分解が容易であり、圧縮空気による真空応答速度おおびグリップ信頼度が向上し、要素間の配置バランスを満足させる真空グリッパーユニットを提供することにある。本発明の他の目的は、現場の必要に応じて装着要素を選択することができるようにすることにより適用性に優れた真空グリッパーユニットを提供することにある。
【課題を解決するための手段】
【００１０】
本発明の一実施形態において、真空グリッパーユニットは、
内部に共通真空チャンバが形成された垂直型ボディと；
前記ボディの左側面及び右側面に水平的に平行に配置され、前記ボディとは別個の装着空間を提供する円筒形部材であって、構造的には、外部から見て、中央部分を連結する前記ボディを含んで全体として「Ｈ」形に形成され、向かい合って対向する各一側に前記共通真空チャンバと連通可能な通路を有する第１及び第２装着筒と；
前記ボディの下部に前記共通真空チャンバと連通するように連結された吸着パッドと；
を含み、
前記第１装着筒の内部には、圧縮空気の供給及び排出の際に前記共通真空チャンバを排気して真空が形成されるように動作する真空ポンプが挿入装着され；
前記第２装着筒の内部には、選択的に、前記真空ポンプが挿入装着されるか、或いは前記真空ポンプの動作停止の際に前記共通真空チャンバに空気が流入するように開放されるリリースバルブが挿入装着されること；
を特徴とする。
【００１１】
好ましくは、前記第２装着筒の内部には前記真空ポンプが挿入装着され、この時、前記ボディの一側には、真空チャンバを経由せずに第１装着筒と第２装着筒との間を連結する分配路が形成され、いずれか一方の装着筒に印加された圧縮空気が２つの装着筒及び真空ポンプの全てへ供給されるようにする。
【発明の効果】
【００１２】
本発明の真空グリッパーユニットは、真空ポンプを含むコンパクトタイプの真空グリッパー装置である。特に、共通真空チャンバを提供する垂直型ボディの外側面にボディとは別個の装着空間を提供し、構造的には、外部から見て、中央部分を連結する前記ボディを含んで全体として略「Ｈ」形に平行に構成される２つの装着筒を備えることにより、
１）前記真空ポンプ及びリリースバルブの組立及び分解が容易であるのはもとより；
２）ボディとは別個の真空ポンプ装着空間を提供して、圧縮空気が直接前記ボディに圧力または衝撃を与えないことによりグリップ信頼度が向上し；
３）前記ボディの左・右要素間の配置バランス及びそれによるパッドグリップの安定性を提供する；
などの効果がある。
【００１３】
４）一方、前記装着筒のうち、いずれか一方には必ず真空ポンプを装着するが、もう一方には実施形態によってリリースバルブまたは真空ポンプを装着することにより、作業上必要とされる「破棄の迅速」または「真空の迅速」に効果的に対応することができる；
という効果がある。
【図面の簡単な説明】
【００１４】
【図１】従来の真空装置の構成を示す断面図である。
【図２】本発明の第１実施形態に係る真空グリッパーユニットの外形図である。
【図３】図２の真空グリッパーユニットの分解斜視図である。
【図４】図２の「Ａ−Ａ」線に沿った断面図である。
【図５】図２の「Ｂ−Ｂ」線に沿った断面図である。
【図６】図２の「Ｃ−Ｃ」線に沿った断面図である。
【図７】図２の真空グリッパーユニットの真空グリップ作用図である。
【図８】図２の真空グリッパーユニットの解除作用図である。
【図９】本発明の第２実施形態に係る真空グリッパーユニットの断面図である。
【図１０】本発明の第３実施形態に係る真空グリッパーユニットの断面図である。
【発明を実施するための形態】
【００１５】
以上に記載された若しくは記載されていない本発明の「真空ポンプを含む真空グリッパーユニット」（以下、「真空グリッパーユニット」という。）の特徴及び作用効果は、以下で添付図面を参照して説明する実施形態の記載からさらに明らかになるだろう。図２以下の図面において、本発明に係る真空グリッパーユニットが実施形態によって符号「１０ａ」、「１０ｂ」、「１０ｃ」と表示されている。
【００１６】
＜第１実施形態＞
図２乃至図６を参照すると、本発明の真空グリッパーユニット１０ａは、垂直型ボディ１１と、前記ボディ１１の左側面及び右側面にそれぞれ一体に形成され、前記ボディ１１とは別個の装着空間を提供する円筒形の第１及び第２装着筒１２ａ、１２ｂと、前記ボディ１１の下部に連結された吸着パッド１３とを含んでなる。図示の如く、前記ボディ１１は、内部に共通真空チャンバ１４が形成された断面逆Ｕ字形であり、吸着パッド１３は、前記真空チャンバ１４と連通するように構成される。
【００１７】
具体的に、前述した第１及び第２装着筒１２ａ、１２ｂは、水平的に平行に配置されることにより、構造的には、外部から見て、中央を連結する前記ボディ１１を含んで全体として「Ｈ」形に形成され、互いに向かい合って対向する各一側には、前記ボディ１１内の前記共通真空チャンバ１４と連通可能にする通路１５を含む。本実施形態において、第１装着筒１２ａの内部には真空ポンプ１６が装着され、第２装着筒１２ｂの内部にはリリースバルブ２０が装着される。
【００１８】
前記真空ポンプ１６は、一端が圧縮空気流入口１７であり、反対側の他端が排出口１８であり、側壁には前記真空チャンバ１４と連通可能にする通孔１９が形成されたパイプ型真空ポンプである。前記リリースバルブ２０は、圧縮空気の圧力有無に応じて、スプリング２１に支持されたピストン２２が開放側または閉鎖側に移動して共通真空チャンバ１４への空気流入を制御するバルブである。但し、このように構成されて作用する前記真空ポンプ１６及びリリースバルブ２０自体が、本発明または本実施形態で特別なものではない。
【００１９】
また、本発明の各実施形態において、前記リリースバルブ２０は、圧縮空気の供給に伴う圧力によってピストン２２が一方向に移動して開放され、圧縮空気の供給が中断されると、スプリング２１の圧力によって反対方向に移動して閉鎖される構造で設計されている。これとは異なり、図１に示したバルブ６構造のように、圧縮空気の供給に伴う圧力によってピストン２２が一方向に移動して閉鎖され、圧縮空気の供給が中断されると、スプリング２１の圧力によって反対方向に移動して開放される構造で設計されることも可能であろう。
【００２０】
前記真空ポンプ１６は、圧縮空気流入口１７側が第１装着筒１２ａの前方挿入口２３を介して後方エア供給口２４に連通するように挿入されることにより第１装着筒１２ａ内に装着でき、前記リリースバルブ２０も同様に、ピストン２２の端部が第２装着筒１２ｂの前方挿入口２３を介して後方エア供給口２４を開閉するように挿入されることにより第２装着筒１２ｂ内に装着できる。
【００２１】
また、前記第１装着筒１２ａ及び第２装着筒１２ｂの前方には、前記装着された真空ポンプ１６及びリリースバルブ２０を支持してその離脱を防止する仕上げ材２５、２６が嵌め込まれて提供される。この時、前記仕上げ材２５、２６の強固な結合のために、略「Ｃ」形のクリップ２７が提供されるが、前記クリップ２７は、前方挿入口２３側の外面の溝条２８に弾力的に挿入されて装着され、その一部が溝条２８の孔２９に侵入して仕上げ材２５、２６の外面の顎部３０に係止される。
【００２２】
したがって、分解の際には、前方挿入口２３側から前記クリップ２７を取り外した後、仕上げ材２５、２６、真空ポンプ１６及びリリースバルブ２０を分離することができるようにする。好ましくは、前記第１装着筒１２ａの仕上げ材２５は、その内部に、前記真空ポンプ１６の排出口１８側が挿入されるように形成された陥凹部４１を含み、第２装着筒１２ｂの仕上げ材２６は、その内部に前記リリースバルブ２０が挿入されるように形成された陥凹部４２を含む。さらに好ましくは、前記第１装着筒１２ａの仕上げ材２５は中空状サイレンサーである。
【００２３】
前記吸着パッド１３は、ボディ１１の下部に前記真空チャンバ１４と連通するように連結され、下端部がグリップ対象物Ｐの表面に接触する。具体的には、前記吸着パッド１３は、ボディ１１の下端に結合されるベローズタイプのリップホルダー３１と、前記リップホルダー３１の下部に分離型または一体型で連結され、対象物Ｐの表面に接触するスカート型リップ３２とを含む。符号３３は、分離型で提供された前記リップホルダー３１とリップ３２との接触部分を圧着するリング状のクランプである。このクランプ３３を用いて、前記吸着パッド１３は、リップホルダー３１とリップ３２との間に配置され且つその上端と下端がそれぞれリップホルダー３１及びリップ３２に結合される一つ以上のミドルベローズをさらに含んでもよい。
【００２４】
本実施形態として示された前記吸着パッド１３の構造は、各要素３１、３２、３３が分離可能に結合される構造であって、これは、韓国登録特許第１３０３７４０号公報に開示されているものと相違しない。図示の如く、ここで、前記吸着パッド１３は、対象物Ｐの表面の汚れや異物をフィルタリングするために、リップホルダー３１の内周に嵌め込まれて装着されるフィルタ要素４３を含む。ただし、本発明は、前述した吸着パッド１３の具体的な構成に限定されるものではない。
【００２５】
一方、前記真空グリッパーユニット１０ａは、自動化移送システムに最適に連結されるようにするための手段をさらに含む。この手段として、前記ボディ１１は、上面の中央に形成されたねじ溝３４と、上面外側に対向して形成された一つ以上の固定凹溝３５または突起を含む。例えば、図２に示すように、連結用ブラケット３６が、前記ねじ溝３４に挿入された支持具３７によって固定できる。この時、前記固定凹溝３５がブラケット３６の一面の突起に対応することにより、ブラケット３６の遊動または回転が防止できる。
【００２６】
図７を参照すると、まず、高速の圧縮空気が第１装着筒１２ａの後方エア供給口２４を介して供給（矢印１参照）され、前記真空ポンプ１６の圧縮空気流入口１７に流入して排出口１８へ進む。この過程で、前記真空チャンバ１４及び吸着パッド１３の内部空気が通路１５及び通孔１９を介して真空ポンプ１６の内部に誘引（矢印２参照）され、圧縮空気と一緒に排出口１８を介して排出（矢印３参照）され、これにより真空チャンバ１４に真空が生成されながら同時に吸着パッド１３内に負圧が発生する。このとき、リリースバルブ２０のピストン２２の端部は、スプリング２１の圧力で第２装着筒１２ｂの後方エア供給口２４を閉鎖している。
【００２７】
この負圧によって対象物（図６の「Ｐ」）が把持され、これにより自動化移送システムによる対象物Ｐの移送が可能となるのである。もちろん、前記移送が完了すると、前述した真空ポンプ１６の排気動作が停止し、これと同時にリリースバルブ２０が動作して外部空気が真空チャンバ１４に流入することにより、吸着パッド１３は対象物Ｐから迅速に分離できる。
【００２８】
図８を参照すると、この場合、高速の圧縮空気が第２装着筒１２ｂの後方エア供給口２４を介して供給（矢印４参照）され、この圧力によってピストン２２が移動してリリースバルブ２０が開放されながら、空気が真空チャンバ１４及び吸着パッド１３に流入（矢印５参照）する。したがって、前記生成された真空及び負圧が破棄され、吸着パッド１３と対象物Ｐが分離できるのである。符号３８は、第１装着筒１２ａの他の一側に形成されたリリースポートであって、例えば、圧縮空気がこのポート３８を介して供給（矢印６参照）されると、前記リリースバルブ２０の作動に関係なく、さらに迅速な負圧破棄及び対象物Ｐの分離が行われ得るという利点がある。
【００２９】
＜第２実施形態＞
本実施形態の真空グリッパーユニット１０ｂは、前述した第１実施形態の真空グリッパーユニット１０ａをベースとする。すなわち、本実施形態の真空グリッパーユニット１０ｂは、
内部に共通真空チャンバ１４を提供する垂直型ボディ１１と；
前記ボディ１１の左側面及び右側面にそれぞれ一体に形成され、水平的に平行に配置され、ボディ１１とは別個の装着空間を提供する円筒形部材であって、構造的には、外部から見て、中央部分を連結する前記ボディ１１を含んで全体として「Ｈ」形に形成され、向かい合って対向する各一側に前記共通真空チャンバ１４と連通可能にする通路１５を有する第１及び第２装着筒１２ａ、１２ｂと；
前記ボディ１１の下部に真空チャンバ１４と連通するように連結された吸着パッド１３と；
を含むものである。
【００３０】
図９を参照すると、但し、ここでは、前記第１及び第２装着筒１２ａ、１２ｂの両方の内部に、圧縮空気の供給及び排出の際に前記共通真空チャンバ１４を排気して真空が形成されるように動作真空ポンプ１６が挿入装着されるという点で、第１実施形態と異なる。これにより、第１実施形態の前記真空グリッパーユニット１０ａが真空解除の迅速性の面で有利であれば、本実施形態の真空グリッパーユニット１０ｂは真空生成の迅速性の面で有利であるといえる。
【００３１】
ここで、第２装着筒１２ｂに真空ポンプ１６が装着される構成及び作用は、第１実施形態で第１装着筒１２ａに真空ポンプ１６が装着されるのと同様なので、別途に説明しない。特徴的に見ると、高速の圧縮空気が第１装着筒１２ａ及び第２装着筒１２ｂの後方エア供給口２４に同時に供給され、各真空ポンプ１６を貫通しつつ、結局二つの真空ポンプ１６が共通真空チャンバ１４及び吸着パッド１３を排気（矢印７参照）する。よって、真空生成の迅速性の面で、前記真空グリッパーユニット１０ａに比べて有利であるといえる。
【００３２】
真空解除の問題は、前記リリースポート３８を介して圧縮空気を供給（図８の矢印６参照）することにより、効果的に解決できるだろう。
【００３３】
＜第３実施形態＞
本実施形態の真空グリッパーユニット１０ｃは、前述した第２実施形態の真空グリッパーユニット１０ｂをベースとする。すなわち、本実施形態の真空グリッパーユニット１０ｃは、
内部に共通真空チャンバ１４を提供する垂直型ボディ１１と；
前記ボディ１１の左側面及び右側面に一体に形成され、水平的に平行に配置されてディ１１とは別個の装着空間を提供する円筒形部材であって、構造的には、外部から見て、中央部分を連結する前記ボディ１１を含んで全体として「Ｈ」形に形成され、向かい合って対向する各一側に前記共通真空チャンバ１４と連通可能にする通路１５を有する第１及び第２装着通１２ａ、１２ｂと；
前記ボディ１１の下部に真空チャンバ１４と連通するように連結された吸着パッド１３と；
を含み、
前記第１及び第２装着筒には、圧縮空気の供給及び排出の際に前記共通真空チャンバを排気して真空が形成されるように動作する真空ポンプが挿入装着される。
【００３４】
図１０を参照すると、但し、ここでは、前記ボディ１１の一側に、真空チャンバを経由せずに第１装着筒と第２装着筒との間を連結する分配路３９が形成されることにより、いずれか一方の装着筒１２ａに印加された圧縮空気が２つの装着筒１２ａ、１２ｂの両方に供給されるようにした点で差異がある。具体的には、第１装着筒１２ａの後方エア供給口２４を介して供給された圧縮空気が第２装着筒１２ｂの後方エア供給口２４に分配供給（矢印８参照）され、結局、圧縮空気は第１及び第２装着筒１２ａ、１２ｂの両方に供給できるようになるだろう。
【００３５】
実際に、このような設計は、エネルギー効率及び配線の面で、前記真空グリッパーユニット１０ｂに比べて有利であるといえる。もちろん、二つの真空ポンプ１６が共通真空チャンバ１４及び吸着パッド１３を排気（矢印７参照）することは、第２実施形態の真空グリッパーユニット１０ｂと同一である。また、真空解除の問題は、前記リリースポート３８を介して圧縮空気を供給（図8の矢印６参照）することにより解決できる。
【００３６】
図面は、前記第２装着筒１２ｂの後方端部が完全に開放不可能に閉鎖された状態を示している。しかし、この状態が、その閉鎖端部側に図２乃至９に示されたオープンコネクタ４０が適用されるのと比較して有意な作用上の差異を持つものではない。
【符号の説明】
【００３７】
１０ａ、１０ｂ、１０ｃ    真空グリッパーユニット
１１    ボディ
１２ａ    第１装着筒
１２ｂ    第２装着筒
１３    吸着パッド
１４    共通真空チャンバ
１５    通路
１６    真空ポンプ
１７    圧縮空気流入口
１８    排出口
１９    通孔
２０    リリースバルブ
２１    スプリング
２２    ピストン
２３    前方挿入口
２４    後方エア供給口
２５、２６    仕上げ材
２７    クリップ
２８    溝
２９    孔
３０    顎部
３１    リップホルダー
３２    リップ
３３    クランプ
３４    ねじ溝
３５    固定凹溝
３６    ブラケット
３７    支持具
３８    リリースポート
３９    分配路
４０    コネクタ
４１、４２    陥凹部
４３    フィルタ要素
【図１】
2019511374.tif 000003
【図２】
2019511374.tif 000004
【図３】
2019511374.tif 000005
【図４】
2019511374.tif 000006
【図５】
2019511374.tif 000007
【図６】
2019511374.tif 000008
【図７】
2019511374.tif 000009
【図８】
2019511374.tif 000010
【図９】
2019511374.tif 000011
【図１０】
2019511374.tif 000012
【国際調査報告】
2019511374.tif 000013
2019511374.tif 000014
2019511374.tif 000015
2019511374.tif 000016